(57)【特許請求の範囲】
【請求項１】
スパウトと該スパウトに螺着するキャップとからなり、前記スパウトは、台座リングの上面外周縁部に、位置ガイドリブを設け、上面内周縁部に、注出筒を立設し、前記キャップは、周壁下端部の内周縁部に段差を設け、該段差の内周縁部に、垂直断面形状が倒立直角三角形で垂直面が内側で先端角度が鋭角なコンタクト封止リングを垂設し、前記スパウトに前記キャップを螺合して装着したときに、前記キャップの周壁下端部の内周縁部に垂設するコンタクト封止リングが、前記スパウトの台座リングの上面外周縁部に設ける位置ガイドリブの上部内周面に、傾斜する外周面を摺接しながら嵌着し、かつ、前記キャップのコンタクト封止リングの先端が、前記スパウトの台座リングの上面外周縁部に密接することを特徴とする液体紙容器用口栓。
【請求項２】
前記キャップの周壁下端部の内周縁部に垂設するコンタクト封止リングの高さが、０．２ｍｍ以上であるとを特徴とする請求項１記載の液体紙容器用口栓。
【発明の詳細な説明】
【０００１】
【発明の属する技術分野】
本発明は、内容物を高温充填する液体紙容器の注出位置に突設するスパウトにキャップが螺着する液体紙容器用口栓に関するものであり、詳しくは、シャワー冷却工程で口栓の内側へ冷却水が浸入することがない液体紙容器用口栓に関するものである。
【０００２】
【従来の技術】
従来、食品や非食品の液体内容物に使用される液体紙容器には、使用時の使い易さを考慮して、例えば、図３に示すように、胴部（２１）が四角筒状で、切り妻屋根形の頂部の傾斜板（２２）にキャップ（１００）とスパウト（２００）とからなる口栓（１０）を突設した液体紙容器（２０）が、広い用途範囲にわたって使用されていた。この口栓は、容器の口栓取付孔から突出するスパウトの注出筒にキャップを螺着したものであるが、通常では、流通時の密封性の完全さやバージン性の確保、または、使用時の易開封性を兼ね備えるために、例えば図４に示すように、スパウト（２００）の注出筒（２２０）の内側の下方内面に封鎖板（２３０）を設けて封止し、使用時に開口するため、この封鎖板の下面の所定位置に垂直断面逆Ｖ字状の環状切込み（２３１）を設けて、上面の開口予定位置に環状薄肉脆弱線（２３２）を形成し、この環状薄肉脆弱線の内側近傍の上面の所定の一側に、先端にプルリング（２３４）をもつ支柱（２３３）を立設したものであり、容器を開封するために口栓を開口するときには、キャップ（１００）を取り外し、スパウト（２００）の注出筒（２２０）の内側に収容されているプルリング（２３４）に指先を掛けて上方へ引っ張って、封鎖板（２３０）の環状薄肉脆弱線（２３２）を引き裂いて開口していた。なお、開口したスパウトは、使用したのちに、キャップを注出筒に螺合して装着して再封止していた。
【０００３】
【発明が解決しようとする課題】
ところで、内容物が食品の場合には、必要に応じて、内容物は液体紙容器に高温充填される。例えば、ノンアルコールの場合には、９０℃以上で充填され、直後、容器は、冷却水によりシャワー冷却されて、常温まで下げられる。この冷却工程で、冷却水が、口栓の冷却に伴う口栓内の急激な温度変化によるバキューム現象などにより、例えば図４の口栓（１０）のキャップ（１００）の裾部から、キャップとスパウト（２００）の隙間に浸入することがある。しかしながら、従来の液体紙容器用口栓は、一般的には、この冷却工程での冷却水の浸入に対しては、全く無防備であった。このキャップとスパウトの間隙に浸入した冷却水を自動的に排除するために、スパウトのネジ山に縦の切り溝を付けて排水溝を設けた口栓もあるが、冷却水には、工業用水が一般的に使用されることがあり、自動的に排水されるとしても、口栓の内側へ冷却水が一旦浸入することは、衛生的に問題があった。
【０００４】
本発明は、上述の従来の液体紙容器用口栓の問題を解決したものであり、内容物を高温充填したのちのシャワー冷却工程で、冷却水がキャップの裾部から口栓の内側へ浸入することがない液体紙容器用口栓を提供するものである。
【０００５】
【課題を解決するための手段】
本発明の第１の発明は、スパウトとこのスパウトに螺着するキャップとからなり、前記スパウトは、台座リングの上面外周縁部に、位置ガイドリブを設け、上面内周縁部に、注出筒を立設し、前記キャップは、周壁下端部の内周縁部に段差を設け、この段差の内周縁部に、垂直断面形状が倒立直角三角形で垂直面が内側で先端角度が鋭角なコンタクト封止リングを垂設し、前記スパウトに前記キャップを螺合して装着したときに、前記キャップの周壁下端部の内周縁部に垂設するコンタクト封止リングが、前記スパウトの台座リングの上面外周縁部に設ける位置ガイドリブの上部内周面に、傾斜する外周面を摺接しながら嵌着し、かつ、前記キャップのコンタクト封止リングの先端が、前記スパウトの台座リングの上面外周縁部に密接することを特徴とする液体紙容器用口栓である。
【０００６】
そして、本発明の第２の発明は、前記キャップの周壁下端部の内周縁部に垂設するコンタクト封止リングの高さが、０．２ｍｍ以上であるとを特徴とする第１の発明に記載の液体紙容器用口栓である。
【０００７】
【発明の実施の形態】
次に、本発明の液体紙容器用口栓の実施の形態について、図を用いて詳細に説明する。
図１は、本発明の一実施形態の液体紙容器用口栓の断面図であり、図２は、図１のＡ部分の拡大断面図であり、図３は、一例の口栓付液体紙容器の斜視図である。
【０００８】
本発明の実施形態の液体紙容器用口栓（１０）は、例えば図３に示すように、胴部（２１）が四角筒状の液体紙容器（２０）の頂部傾斜板（２２）に、超音波シール法などで熱融着して突設させるスパウト（２００）とこのスパウトに螺合させて装着するキャップ（１００）とからなり、キャップ（１００）は、図１に示すように、天板（１１０）の下面にスパウトを封止するためのコンタクト封止リング（１１１）（先端をスパウト口部天面に密接）とその内側にインナー封止リング（１１２）（外周面をスパウト口部内周面に密接）を垂設するものであり、周壁（１２０）の内周面に、スパウトとの螺合部（１２１）をもち、図２に示すように、周壁（１２０）下端部の内周縁部に段差を設け、この段差の内周縁部に、垂直断面形状が倒立直角三角形で、垂直面が内側で、先端角度が例えば５０度の鋭角なコンタクト封止リング（１２２）を垂設し、スパウト（２００）は、図１に示すように、下端外周に容器と熱融着するフランジ（２４０）を周設し、上面外周縁部に位置ガイドリブ（２１２）を設け、外周の所定高さに仮止め突起（２１１）を設けた台座リング（２１０）の上面内周縁部に、外周面にキャップとの螺合部（２２１）をもつ注出筒（２２０）を立設し、この注出筒の内側下方を封鎖板（２３０）を設けて封止し、この封鎖板の開口予定位置に、下面より垂直断面形状が逆Ｖ字状の環状切込み（２３１）を設けて、上面に環状薄肉脆弱線（２３２）を形成し、この環状薄肉脆弱線の内側近傍の上面の一側に、先端にプルリング（２３４）を接続する支柱（２３３）を立設するものである。なお、環状薄肉脆弱線は、封鎖板の上面より垂直断面形状がＶ字状の環状切込みを設けて、下面に環状薄肉脆弱線を形成してもよい。そして、スパウトは、通常では、ポリエチレンなどの熱可塑性樹脂を用い、キャップは、通常、スパウトより硬度が高いポリプロピレンなどの熱可塑性樹脂を用いて、射出成形法により作製するものである。
【０００９】
なお、液体紙容器用口栓のキャップの周壁下端部の内周縁部に段差を設け、この段差の内周縁部に設けるコンタクト封止リングの高さは、スパウトとの密着の度合いからみて０．２ｍｍ以上であればよいが、通常では、０．２〜０．６ｍｍが実用上からみて好ましい。
【００１０】
また、本発明の液体紙容器用口栓は、スパウトにキャップを螺合して装着したときに、キャップの周壁下端部の内周縁部に垂設するコンタクト封止リングが、スパウトの台座リングの上面外周縁部に設ける位置ガイドリブの上部内周面に、傾斜する外周面を摺接しながら嵌着するため、従来の口栓とは異なり、キャップがスパウトに螺着するに伴い周壁が外側へ開くことが抑制され、コンタクト封止リングの先端が、スパウトの台座リングの上面に、いつも一定位置でとどまり、位置ずれを起こすことがない。そして、キャップの周壁下端部の内周縁部に垂設するコンタクト封止リングの先端が、スパウトの材質とキャップの材質の硬度の差によって異なるが、スパウトの台座リングの外周縁部の上面で０．１５ｍｍほど変形し、または、スパウトの台座リングの外周縁部の上面に０．１５ｍｍほど食い込んで、キャップのコンタクト封止リングの先端が、スパウトの台座リングの外周縁部の上面に、完全に密接するものである。この結果、冷却工程で冷却水がキャップの裾部から口栓内に浸入することがない。
【００１１】
また、本発明の液体紙容器用口栓においては、キャップをスパウトに螺着したときに、キャップの周壁端部の内周縁部のコンタクト封止リングの外周面が、スパウトの台座リングの上面外周縁部の位置ガイドリブの上部内周面と密着しているので、キャップの周壁が外側へ開くことがないため、キャップの開けトルク力もほぼ一定となり、使用時に取り扱い易い口栓である。また、キャップの雌ネジとスパウトの雄ネジとの摺接力が、キャップの周壁が外側へ開くことがないため緩和され、キャッピング工程での摺接磨耗による粉を発生することがない。またスパウトに対する封止が、キャップの天板下面の封止リングと周壁下端部の内周縁部の封止リングとで複数位置で行われるため、口栓の封止がより完全となる。
【００１２】
なお、本実施形態の液体紙容器用口栓を取り付けた液体紙容器は、キャップの締めトルク力を３Ｋｇで行い、内容物を９０℃で高温充填し、冷却工程で常温まで容器を冷却したが、キャップの裾部から口栓内への冷却水の浸入は、全く見られなかった。
【００１３】
【発明の効果】
本発明の液体紙容器用口栓は、スパウトの台座リングの上面外周縁部に位置ガイドリブを設け、また、キャップの周壁下端部の内周縁部に特殊形状のコンタクト封止リングを設けており、この効果により、内容物を高温充填したのちのシャワー冷却工程で、冷却水がキャップの裾部から口栓の内側へ浸入することがない。
【００１４】
また、本発明の液体紙容器用口栓は、キャッピング工程で締めトルク力が一定しており、また、使用時におけるキャップの開けトルク力も一定している。また、封止が複数の封止リングで行われるため、封止が完全である。
【図面の簡単な説明】
【図１】本発明の一実施形態の液体紙容器用口栓の断面図である。
【図２】図１のＡ部分の拡大断面図である。
【図３】一例の口栓付液体紙容器の斜視図である。
【図４】従来の一例の液体紙容器用口栓の断面図である。
【符号の説明】
１０……口栓
２０……容器
２１……口栓取付孔
２２……傾斜板
２３……胴部
１００……キャップ
１１０……天板
１１１，１２２……コンタクト封止リング
１１２……インナー封止リング
１２０……周壁
１２１，２２１……螺合部
２００……スパウト
２１０……台座リング
２１１……仮止め突起
２１２……位置ガイドリブ
２２０……注出筒
２３０……閉鎖板
２３１……環状切込み
２３２……環状薄肉脆弱線
２３３……支柱
２３４……プルリング
２４０……フランジ
【図１】
0004161549.tif 000002
【図２】
0004161549.tif 000003
【図３】
0004161549.tif 000004
【図４】
0004161549.tif 000005